【手続補正書】
【提出日】平成28年3月18日(2016.3.18)
【手続補正１】
【補正対象書類名】特許請求の範囲
【補正対象項目名】全文
【補正方法】変更
【補正の内容】
【特許請求の範囲】
【請求項１】
コンピュータに、
所定の図柄の情報を有する基礎ゲーム媒体であって、属性情報を有する基礎ゲーム媒体をユーザに付与する基礎ゲーム媒体付与機能と、
特定の図柄に対応付けられた付加図柄が描かれた付加ゲーム媒体であって、前記特定の図柄との対応関係を示す図柄情報、および、前記基礎ゲーム媒体の属性情報に付加するための付加情報を有する付加ゲーム媒体をユーザに付与する付加ゲーム媒体付与機能と、
前記基礎ゲーム媒体付与機能によって付与された基礎ゲーム媒体の選択を受け付ける第１の基礎ゲーム媒体選択受付機能と、
前記付加ゲーム媒体付与機能によって付与された付加ゲーム媒体の選択を受け付ける第１の付加ゲーム媒体選択受付機能と、
前記選択された基礎ゲーム媒体が有する図柄の情報、および、前記選択された付加ゲーム媒体に描かれた付加図柄の情報の対応関係を判定し、該判定の結果に基づいて、前記基礎ゲーム媒体選択受付機能によって受け付けられた基礎ゲーム媒体の属性情報に、前記付加ゲーム媒体選択受付機能によって受け付けられた付加ゲーム媒体の付加情報を加える第１の付加情報追加機能と、
前記付加ゲーム媒体付与機能によって付与された他の付加ゲーム媒体の選択を受け付ける第２の付加ゲーム媒体選択受付機能と、
前記選択された基礎ゲーム媒体が有する図柄の情報、および、前記選択された他の付加ゲーム媒体に描かれた付加図柄の情報の対応関係を判定し、該判定の結果に基づいて、前記第１の付加情報追加機能により付加情報が加えられた基礎ゲーム媒体の属性情報に、前記第２の付加ゲーム媒体選択受付機能によって受け付けられた他の付加ゲーム媒体の付加情報を加える第２の付加情報追加機能と
を実現させるためのゲームプログラム。
【請求項２】
前記第１の付加情報追加機能は、前記属性情報に前記付加情報を加える際、前記基礎ゲーム媒体に描かれた図柄を、新たな図柄に変更することを特徴とする請求項１に記載のゲームプログラム。
【請求項３】
前記付加ゲーム媒体は、複数の特定の図柄に対応づけられた付加図柄の情報を有することを特徴とする請求項１または２に記載のゲームプログラム。
【請求項４】
前記ゲームプログラムは、さらに、コンピュータに、
ユーザに対して、前記第１の基礎ゲーム媒体選択受付機能が受け付けた基礎ゲーム媒体が有する図柄に対応付けられた付加図柄の情報を有する付加ゲーム媒体を提示する第１の付加ゲーム媒体提示機能を実現させることを特徴とする請求項１〜３のいずれか一項に記載のゲームプログラム。
【請求項５】
前記ゲームプログラムは、さらに、コンピュータに、
表示画面を制御するための表示画面制御機能であって、
前記表示画面に、
前記第１の基礎ゲーム媒体選択受付機能が受け付けた基礎ゲーム媒体を表示する基礎ゲーム媒体表示部と、
前記第１の付加ゲーム媒体提示機能が提示した付加ゲーム媒体を表示する付加ゲーム媒体表示部と
を表示させる表示画面制御機能を実現させることを特徴とする請求項４に記載のゲームプログラム。
【請求項６】
前記ゲームプログラムは、さらに、コンピュータに、
ユーザに対して、前記第１の付加ゲーム媒体選択受付機能が受け付けた付加ゲーム媒体が有する図柄情報に基づいて、該付加ゲーム媒体の付加情報を付加可能な属性情報を有する基礎ゲーム媒体を提示する第１の基礎ゲーム媒体提示機能を実現させることを特徴とする請求項１〜３のいずれか一項に記載のゲームプログラム。
【請求項７】
前記ゲームプログラムは、さらに、コンピュータに、
表示画面を制御するための表示画面制御機能であって、
前記表示画面に、
前記第１の付加ゲーム媒体選択受付機能が受け付けた付加ゲーム媒体を表示する基礎ゲーム媒体表示部と、
前記第１の基礎ゲーム媒体提示機能が提示した基礎ゲーム媒体を表示する基礎ゲーム媒体表示部と
を表示させる表示画面制御機能を実現させることを特徴とする請求項６に記載のゲームプログラム。
【請求項８】
前記基礎ゲーム媒体は、カードまたはアイテムであることを特徴とする請求項１〜７のいずれか一項に記載のゲームプログラム。
【請求項９】
前記付加ゲーム媒体は、カードまたはアイテムであることを特徴とする請求項１〜８のいずれか一項に記載のゲームプログラム。
【請求項１０】
前記属性情報は、ＩＤ、レアリティ、攻撃手段、防御手段、または、パラメータの情報の少なくとも一つを含むことを特徴とする請求項１〜９のいずれか一項に記載のゲームプログラム。
【請求項１１】
前記基礎ゲーム媒体の属性情報に加えられた別の付加ゲーム媒体の付加情報は、前記属性情報から削除可能であることを特徴とする請求項１〜１０のいずれか一項に記載のゲームプログラム。
【請求項１２】
前記基礎ゲーム媒体に描かれる図柄は、人物または動物の図柄であることを特徴とする請求項１〜１１のいずれか一項に記載のゲームプログラム。
【請求項１３】
前記付加ゲーム媒体に描かれる付加図柄は、武具または乗り物の図柄であることを特徴とする請求項１〜１２のいずれか一項に記載のゲームプログラム。
【請求項１４】
前記付加情報は、サブスキル情報であることを特徴とする請求項１〜１３のいずれか一項に記載のゲームプログラム。
【請求項１５】
コンピュータに、
所定の図柄の情報を有する基礎ゲーム媒体であって、属性情報を有する基礎ゲーム媒体をユーザに付与する基礎ゲーム媒体付与ステップと、
特定の図柄に対応付けられた付加図柄が描かれた付加ゲーム媒体であって、前記特定の図柄との対応関係を示す図柄情報、および、前記基礎ゲーム媒体の属性情報に付加するための付加情報を有する付加ゲーム媒体をユーザに付与する付加ゲーム媒体付与ステップと、
前記基礎ゲーム媒体付与ステップによって付与された基礎ゲーム媒体の選択を受け付ける第１の基礎ゲーム媒体選択受付ステップと、
前記付加ゲーム媒体付与ステップによって付与された付加ゲーム媒体の選択を受け付ける第１の付加ゲーム媒体選択受付ステップと、
前記選択された基礎ゲーム媒体が有する図柄の情報、および、前記選択された付加ゲーム媒体に描かれた付加図柄の情報の対応関係を判定し、該判定の結果に基づいて、前記基礎ゲーム媒体選択受付ステップによって受け付けられた基礎ゲーム媒体の属性情報に、前記付加ゲーム媒体選択受付ステップによって受け付けられた付加ゲーム媒体の付加情報を加える第１の付加情報追加ステップと、
前記付加ゲーム媒体付与ステップによって付与された他の付加ゲーム媒体の選択を受け付ける第２の付加ゲーム媒体選択受付ステップと、
前記選択された基礎ゲーム媒体が有する図柄の情報、および、前記選択された他の付加ゲーム媒体に描かれた付加図柄の情報の対応関係を判定し、該判定の結果に基づいて、前記第１の付加情報追加ステップにより付加情報が加えられた基礎ゲーム媒体の属性情報に、前記第２の付加ゲーム媒体選択受付ステップによって受け付けられた他の付加ゲーム媒体の付加情報を加える第２の付加情報追加ステップと
を実行させるゲーム処理方法。
【請求項１６】
所定の図柄の情報を有する基礎ゲーム媒体であって、属性情報を有する基礎ゲーム媒体をユーザに付与する基礎ゲーム媒体付与部と、
特定の図柄に対応付けられた付加図柄が描かれた付加ゲーム媒体であって、前記特定の図柄との対応関係を示す図柄情報、および、前記基礎ゲーム媒体の属性情報に付加するための付加情報を有する付加ゲーム媒体をユーザに付与する付加ゲーム媒体付与部と、
前記基礎ゲーム媒体付与部によって付与された基礎ゲーム媒体の選択を受け付ける第１の基礎ゲーム媒体選択受付部と、
前記付加ゲーム媒体付与部によって付与された付加ゲーム媒体の選択を受け付ける第１の付加ゲーム媒体選択受付部と、
前記選択された基礎ゲーム媒体が有する図柄の情報、および、前記選択された付加ゲーム媒体に描かれた付加図柄の情報の対応関係を判定し、該判定の結果に基づいて、前記基礎ゲーム媒体選択受付部によって受け付けられた基礎ゲーム媒体の属性情報に、前記付加ゲーム媒体選択受付部によって受け付けられた付加ゲーム媒体の付加情報を加える第１の付加情報追加部と、
前記付加ゲーム媒体付与部によって付与された他の付加ゲーム媒体の選択を受け付ける第２の付加ゲーム媒体選択受付部と、
前記選択された基礎ゲーム媒体が有する図柄の情報、および、前記選択された他の付加ゲーム媒体に描かれた付加図柄の情報の対応関係を判定し、該判定の結果に基づいて、前記第１の付加情報追加部により付加情報が加えられた基礎ゲーム媒体の属性情報に、前記第２の付加ゲーム媒体選択受付部によって受け付けられた他の付加ゲーム媒体の付加情報を加える第２の付加情報追加部と
を備える情報処理装置。
【手続補正２】
【補正対象書類名】明細書
【補正対象項目名】０００９
【補正方法】変更
【補正の内容】
【０００９】
上記課題を解決するために、本発明の一態様に係るゲームプログラムは、コンピュータに、所定の図柄の情報を有する基礎ゲーム媒体であって、属性情報を有する基礎ゲーム媒体をユーザに付与する基礎ゲーム媒体付与機能と、特定の図柄に対応付けられた付加図柄が描かれた付加ゲーム媒体であって、特定の図柄との対応関係を示す図柄情報、および、基礎ゲーム媒体の属性情報に付加するための付加情報を有する付加ゲーム媒体をユーザに付与する付加ゲーム媒体付与機能と、基礎ゲーム媒体付与機能によって付与された基礎ゲーム媒体の選択を受け付ける第１の基礎ゲーム媒体選択受付機能と、付加ゲーム媒体付与機能によって付与された付加ゲーム媒体の選択を受け付ける第１の付加ゲーム媒体選択受付機能と、選択された基礎ゲーム媒体が有する図柄の情報、および、選択された付加ゲーム媒体に描かれた付加図柄の情報の対応関係を判定し、該判定の結果に基づいて、基礎ゲーム媒体選択受付機能によって受け付けられた基礎ゲーム媒体の属性情報に、付加ゲーム媒体選択受付機能によって受け付けられた付加ゲーム媒体の付加情報を加える第１の付加情報追加機能と、付加ゲーム媒体付与機能によって付与された他の付加ゲーム媒体の選択を受け付ける第２の付加ゲーム媒体選択受付機能と、選択された基礎ゲーム媒体が有する図柄の情報、および、選択された他の付加ゲーム媒体に描かれた付加図柄の情報の対応関係を判定し、該判定の結果に基づいて、第１の付加情報追加機能により付加情報が加えられた基礎ゲーム媒体の属性情報に、第２の付加ゲーム媒体選択受付機能によって受け付けられた他の付加ゲーム媒体の付加情報を加える第２の付加情報追加機能とを実現させる。
【手続補正３】
【補正対象書類名】明細書
【補正対象項目名】００１０
【補正方法】変更
【補正の内容】
【００１０】
上記第１の付加情報追加機能は、属性情報に付加情報を加える際、基礎ゲーム媒体に描かれた図柄を、新たな図柄に変更することができる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１７
【補正方法】変更
【補正の内容】
【００１７】
上記基礎ゲーム媒体の属性情報に加えられた別の付加ゲーム媒体の付加情報は、前記属性情報から削除可能とすることができる。
上記基礎ゲーム媒体に描かれる図柄は、人物または動物の図柄とすることができる。
上記付加ゲーム媒体に描かれる付加図柄は、武具または乗り物の図柄とすることができる。
上記付加情報は、サブスキル情報とすることができる。
【手続補正７】
【補正対象書類名】明細書
【補正対象項目名】００１８
【補正方法】変更
【補正の内容】
【００１８】
本発明のゲーム処理方法は、コンピュータに、所定の図柄の情報を有する基礎ゲーム媒体であって、属性情報を有する基礎ゲーム媒体をユーザに付与する基礎ゲーム媒体付与ステップと、特定の図柄に対応付けられた付加図柄が描かれた付加ゲーム媒体であって、特定の図柄との対応関係を示す図柄情報、および、基礎ゲーム媒体の属性情報に付加するための付加情報を有する付加ゲーム媒体をユーザに付与する付加ゲーム媒体付与ステップと、基礎ゲーム媒体付与ステップによって付与された基礎ゲーム媒体の選択を受け付ける第１の基礎ゲーム媒体選択受付ステップと、付加ゲーム媒体付与ステップによって付与された付加ゲーム媒体の選択を受け付ける第１の付加ゲーム媒体選択受付ステップと、選択された基礎ゲーム媒体が有する図柄の情報、および、選択された付加ゲーム媒体に描かれた付加図柄の情報の対応関係を判定し、該判定の結果に基づいて、基礎ゲーム媒体選択受付ステップによって受け付けられた基礎ゲーム媒体の属性情報に、付加ゲーム媒体選択受付ステップによって受け付けられた付加ゲーム媒体の付加情報を加える第１の付加情報追加ステップと、付加ゲーム媒体付与ステップによって付与された他の付加ゲーム媒体の選択を受け付ける第２の付加ゲーム媒体選択受付ステップと、選択された基礎ゲーム媒体が有する図柄の情報、および、記選択された他の付加ゲーム媒体に描かれた付加図柄の情報の対応関係を判定し、該判定の結果に基づいて、第１の付加情報追加ステップにより付加情報が加えられた基礎ゲーム媒体の属性情報に、第２の付加ゲーム媒体選択受付ステップによって受け付けられた他の付加ゲーム媒体の付加情報を加える第２の付加情報追加ステップとを実行させることを特徴とする。
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】変更
【補正の内容】
【００２０】
本発明の情報処理装置は、所定の図柄の情報を有する基礎ゲーム媒体であって、属性情報を有する基礎ゲーム媒体をユーザに付与する基礎ゲーム媒体付与部と、特定の図柄に対応付けられた付加図柄が描かれた付加ゲーム媒体であって、特定の図柄との対応関係を示す図柄情報、および、基礎ゲーム媒体の属性情報に付加するための付加情報を有する付加ゲーム媒体をユーザに付与する付加ゲーム媒体付与部と、基礎ゲーム媒体付与部によって付与された基礎ゲーム媒体の選択を受け付ける第１の基礎ゲーム媒体選択受付部と、付加ゲーム媒体付与部によって付与された付加ゲーム媒体の選択を受け付ける第１の付加ゲーム媒体選択受付部と、選択された基礎ゲーム媒体が有する図柄の情報、および、選択された付加ゲーム媒体に描かれた付加図柄の情報の対応関係を判定し、該判定の結果に基づいて、基礎ゲーム媒体選択受付部によって受け付けられた基礎ゲーム媒体の属性情報に、付加ゲーム媒体選択受付部によって受け付けられた付加ゲーム媒体の付加情報を加える第１の付加情報追加部と、付加ゲーム媒体付与部によって付与された他の付加ゲーム媒体の選択を受け付ける第２の付加ゲーム媒体選択受付部と、選択された基礎ゲーム媒体が有する図柄の情報、および、記選択された他の付加ゲーム媒体に描かれた付加図柄の情報の対応関係を判定し、該判定の結果に基づいて、第１の付加情報追加部により付加情報が加えられた基礎ゲーム媒体の属性情報に、第２の付加ゲーム媒体選択受付部によって受け付けられた他の付加ゲーム媒体の付加情報を加える第２の付加情報追加部とを備える情報処理装置。
【手続補正１０】
【補正対象書類名】明細書
【補正対象項目名】００２１
【補正方法】削除
【補正の内容】
【手続補正１１】
【補正対象書類名】明細書
【補正対象項目名】０１０８
【補正方法】変更
【補正の内容】
【０１０８】
上述したところは、代表的な実施形態の例を示したものであって、本発明はこの実施形態に限定されるものではない。
〔付記事項〕
以下に、本願の出願の当初の課題を解決するための手段に記載された発明を付記する。
［１］本発明のゲームプログラムは、コンピュータに、所定の図柄が描かれた基礎ゲーム媒体であって、属性情報を有する基礎ゲーム媒体をユーザに付与する基礎ゲーム媒体付与機能と、特定の図柄に対応付けられた付加図柄が描かれた付加ゲーム媒体であって、特定の図柄との対応関係を示す図柄情報、基礎ゲーム媒体の属性情報に付加するための付加情報、および、基礎ゲーム媒体の属性情報に加えられた別の付加ゲーム媒体の付加情報を変更するための変更情報を有する付加ゲーム媒体をユーザに付与する付加ゲーム媒体付与機能と、付加ゲーム媒体付与機能によって付与された付加ゲーム媒体を複数組み合わせることにより、別の新たな付加ゲーム媒体を作成する作成機能と、基礎ゲーム媒体付与機能によって付与された基礎ゲーム媒体の選択を受け付ける第１の基礎ゲーム媒体選択受付機能と、付加ゲーム媒体付与機能によって付与された付加ゲーム媒体の選択を受け付ける第１の付加ゲーム媒体選択受付機能と、選択された付加ゲーム媒体の図柄情報に基づいて、選択された基礎ゲーム媒体に描かれた図柄、および、選択された付加ゲーム媒体に描かれた付加図柄の対応関係を判定し、該判定の結果に基づいて、基礎ゲーム媒体選択受付機能によって受け付けられた基礎ゲーム媒体の属性情報に、付加ゲーム媒体選択受付機能によって受け付けられた付加ゲーム媒体の付加情報を加える付加情報追加機能とを実現させることを特徴とする。
［２］本発明のゲームプログラムは、コンピュータに、所定の図柄が描かれた基礎ゲーム媒体であって、属性情報を有する基礎ゲーム媒体をユーザに付与する基礎ゲーム媒体付与機能と、特定の図柄に対応付けられた付加図柄が描かれた付加ゲーム媒体であって、特定の図柄との対応関係を示す図柄情報、基礎ゲーム媒体の属性情報に付加するための付加情報、および、基礎ゲーム媒体の属性情報に加えられた別の付加ゲーム媒体の付加情報を変更するための変更情報を有する付加ゲーム媒体をユーザに付与する付加ゲーム媒体付与機能と、基礎ゲーム媒体付与機能によって付与された基礎ゲーム媒体の選択を受け付ける第１の基礎ゲーム媒体選択受付機能と、付加ゲーム媒体付与機能によって付与された付加ゲーム媒体の選択を受け付ける第１の付加ゲーム媒体選択受付機能と、選択された付加ゲーム媒体の図柄情報に基づいて、選択された基礎ゲーム媒体に描かれた図柄、および、選択された付加ゲーム媒体に描かれた付加図柄の対応関係を判定し、該判定の結果に基づいて、基礎ゲーム媒体選択受付機能によって受け付けられた基礎ゲーム媒体の属性情報に、付加ゲーム媒体選択受付機能によって受け付けられた付加ゲーム媒体の付加情報を加える付加情報追加機能とを実現させ、付加情報追加機能により、属性情報に付加情報を加える際、基礎ゲーム媒体に描かれた図柄を、新たな図柄に変更することを特徴とする。
［３］本発明のゲームプログラムは、さらに、コンピュータに、付加情報追加機能によって付加情報が加えられた属性情報を有する基礎ゲーム媒体の選択を受け付ける第２の基礎ゲーム媒体選択受付機能と、付加ゲーム媒体付与機能によって付与された他の付加ゲーム媒体の選択を受け付ける第２の付加ゲーム媒体選択受付機能と、第２の付加ゲーム媒体選択受付機能が受け付けた他の付加ゲーム媒体の変更情報に基づいて、第２の基礎ゲーム媒体選択受付機能が受け付けた基礎ゲーム媒体の属性情報に加えられた付加情報を変更する付加情報変更機能とを実現させることができる。
［４］上記付加情報変更機能は、選択された他の付加ゲーム媒体の図柄情報に基づいて、選択された基礎ゲーム媒体に描かれた図柄、および、選択された他の付加ゲーム媒体に描かれた付加図柄の対応関係を判定し、該判定の結果に基づいて、付加情報を変更することができる。
［５］上記付加情報変更機能は、選択された他の付加ゲーム媒体の図柄情報に基づく、選択された基礎ゲーム媒体に描かれた図柄、および、選択された他の付加ゲーム媒体に描かれた付加図柄間の対応関係に関わらず、付加情報を変更することができる。
［６］上記付加ゲーム媒体は、複数の特定の図柄に対応づけられた付加図柄が描かれているものとすることができる。
［７］本発明のゲームプログラムは、さらに、コンピュータに、ユーザに対して、第１の基礎ゲーム媒体選択受付機能が受け付けた基礎ゲーム媒体の図柄に対応付けられた付加図柄が描かれた付加ゲーム媒体を提示する第１の付加ゲーム媒体提示機能を実現させることができる。
本発明のゲームプログラムは、さらに、コンピュータに、表示画面を制御するための表示画面制御機能であって、表示画面に、第１の基礎ゲーム媒体選択受付機能が受け付けた基礎ゲーム媒体を表示する基礎ゲーム媒体表示部と、第１の付加ゲーム媒体提示機能が提示した付加ゲーム媒体を表示する付加ゲーム媒体表示部とを表示させる表示画面制御機能を実現させることができる。
［８］本発明のゲームプログラムは、さらに、コンピュータに、ユーザに対して、第１の付加ゲーム媒体選択受付機能が受け付けた付加ゲーム媒体の図柄情報に基づいて、該付加ゲーム媒体の付加情報を付加可能な属性情報を有する基礎ゲーム媒体を提示する第１の基礎ゲーム媒体提示機能を実現させることができる。
［９］本発明のゲームプログラムは、さらに、コンピュータに、表示画面を制御するための表示画面制御機能であって、表示画面に、第１の付加ゲーム媒体選択受付機能が受け付けた付加ゲーム媒体を表示する基礎ゲーム媒体表示部と、第１の基礎ゲーム媒体提示機能が提示した基礎ゲーム媒体を表示する基礎ゲーム媒体表示部とを表示させる表示画面制御機能を実現させることができる。
［１０］上記基礎ゲーム媒体は、カードまたはアイテムとすることができる。
［１１］上記付加ゲーム媒体は、カードまたはアイテムとすることができる。
［１２］上記属性情報は、ＩＤ、レアリティ、攻撃手段、防御手段、または、パラメータの情報の少なくとも一つを含むものとすることができる。
［１３］上記変更情報は、基礎ゲーム媒体の属性情報に加えられた別の付加ゲーム媒体の付加情報に含まれるパラメータを変更することができる。
［１４］上記変更情報は、基礎ゲーム媒体の属性情報に加えられた別の付加ゲーム媒体の付加情報に含まれる第１のパラメータが、変更後に規定値以上になった場合、付加情報に含まれる第２のパラメータを変更することができる。
［１５］上記第２のパラメータは、付加情報のレベルとすることができる。
［１６］上記基礎ゲーム媒体の属性情報に加えられた別の付加ゲーム媒体の付加情報は、取り外しが可能とすることができる。
［１７］上記基礎ゲーム媒体に描かれる図柄は、人物または動物の図柄とすることができる。
［１８］上記付加ゲーム媒体に描かれる付加図柄は、武具または乗り物の図柄とすることができる。
［１９］上記付加情報は、サブスキル情報とすることができる。
［２０］本発明のゲーム処理方法は、コンピュータに、所定の図柄が描かれた基礎ゲーム媒体であって、属性情報を有する基礎ゲーム媒体をユーザに付与する基礎ゲーム媒体付与ステップと、特定の図柄に対応付けられた付加図柄が描かれた付加ゲーム媒体であって、特定の図柄との対応関係を示す図柄情報、基礎ゲーム媒体の属性情報に付加するための付加情報、および、基礎ゲーム媒体の属性情報に加えられた別の付加ゲーム媒体の付加情報を変更するための変更情報を有する付加ゲーム媒体をユーザに付与する付加ゲーム媒体付与ステップと、付加ゲーム媒体付与ステップによって付与された付与ゲーム媒体を複数組み合わせることにより、別の新たな付加ゲーム媒体を作成する作成ステップと、基礎ゲーム媒体付与ステップによって付与された基礎ゲーム媒体の選択を受け付ける第１の基礎ゲーム媒体選択受付ステップと、付加ゲーム媒体付与ステップによって付与された付加ゲーム媒体の選択を受け付ける第１の付加ゲーム媒体選択受付ステップと、選択された付加ゲーム媒体の図柄情報に基づいて、選択された基礎ゲーム媒体に描かれた図柄、および、選択された付加ゲーム媒体に描かれた付加図柄の対応関係を判定し、該判定の結果に基づいて、基礎ゲーム媒体選択受付ステップによって受け付けられた基礎ゲーム媒体の属性情報に、付加ゲーム媒体選択受付ステップによって受け付けられた付加ゲーム媒体の付加情報を加える付加情報追加ステップと実行させることを特徴とする。
［２１］本発明のゲーム処理方法は、コンピュータに、所定の図柄が描かれた基礎ゲーム媒体であって、属性情報を有する基礎ゲーム媒体をユーザに付与する基礎ゲーム媒体付与ステップと、特定の図柄に対応付けられた付加図柄が描かれた付加ゲーム媒体であって、特定の図柄との対応関係を示す図柄情報、基礎ゲーム媒体の属性情報に付加するための付加情報、および、基礎ゲーム媒体の属性情報に加えられた別の付加ゲーム媒体の付加情報を変更するための変更情報を有する付加ゲーム媒体をユーザに付与する付加ゲーム媒体付与ステップと、基礎ゲーム媒体付与ステップによって付与された基礎ゲーム媒体の選択を受け付ける第１の基礎ゲーム媒体選択受付ステップと、付加ゲーム媒体付与ステップによって付与された付加ゲーム媒体の選択を受け付ける第１の付加ゲーム媒体選択受付ステップと、選択された付加ゲーム媒体の図柄情報に基づいて、選択された基礎ゲーム媒体に描かれた図柄、および、選択された付加ゲーム媒体に描かれた付加図柄の対応関係を判定し、該判定の結果に基づいて、基礎ゲーム媒体選択受付ステップによって受け付けられた基礎ゲーム媒体の属性情報に、付加ゲーム媒体選択受付ステップによって受け付けられた付加ゲーム媒体の付加情報を加える付加情報追加ステップとを実行させ、付加情報追加ステップにより、属性情報に付加情報を加える際、基礎ゲーム媒体に描かれた図柄を、新たな図柄に変更することを特徴とする。
［２２］本発明の情報処理装置は、所定の図柄が描かれた基礎ゲーム媒体であって、属性情報を有する基礎ゲーム媒体をユーザに付与する基礎ゲーム媒体付与部と、特定の図柄に対応付けられた付加図柄が描かれた付加ゲーム媒体であって、特定の図柄との対応関係を示す図柄情報、基礎ゲーム媒体の属性情報に付加するための付加情報、および、基礎ゲーム媒体の属性情報に加えられた別の付加ゲーム媒体の付加情報を変更するための変更情報を有する付加ゲーム媒体をユーザに付与する付加ゲーム媒体付与部と、付加ゲーム媒体付与部によって付与された付与ゲーム媒体を複数組み合わせることにより、別の新たな付加ゲーム媒体を作成する作成部と、基礎ゲーム媒体付与部によって付与された基礎ゲーム媒体の選択を受け付ける第１の基礎ゲーム媒体選択受付部と、付加ゲーム媒体付与部によって付与された付加ゲーム媒体の選択を受け付ける第１の付加ゲーム媒体選択受付部と、選択された付加ゲーム媒体の図柄情報に基づいて、選択された基礎ゲーム媒体に描かれた図柄、および、選択された付加ゲーム媒体に描かれた付加図柄の対応関係を判定し、該判定の結果に基づいて、基礎ゲーム媒体選択受付部によって受け付けられた基礎ゲーム媒体の属性情報に、付加ゲーム媒体選択受付部によって受け付けられた付加ゲーム媒体の付加情報を加える付加情報追加部とを備えることを特徴とする。
［２３］本発明の情報処理装置は、所定の図柄が描かれた基礎ゲーム媒体であって、属性情報を有する基礎ゲーム媒体をユーザに付与する基礎ゲーム媒体付与部と、特定の図柄に対応付けられた付加図柄が描かれた付加ゲーム媒体であって、特定の図柄との対応関係を示す図柄情報、基礎ゲーム媒体の属性情報に付加するための付加情報、および、基礎ゲーム媒体の属性情報に加えられた別の付加ゲーム媒体の付加情報を変更するための変更情報を有する付加ゲーム媒体をユーザに付与する付加ゲーム媒体付与部と、基礎ゲーム媒体付与部によって付与された基礎ゲーム媒体の選択を受け付ける第１の基礎ゲーム媒体選択受付部と、付加ゲーム媒体付与部によって付与された付加ゲーム媒体の選択を受け付ける第１の付加ゲーム媒体選択受付部と、選択された付加ゲーム媒体の図柄情報に基づいて、選択された基礎ゲーム媒体に描かれた図柄、および、選択された付加ゲーム媒体に描かれた付加図柄の対応関係を判定し、該判定の結果に基づいて、基礎ゲーム媒体選択受付部によって受け付けられた基礎ゲーム媒体の属性情報に、付加ゲーム媒体選択受付部によって受け付けられた付加ゲーム媒体の付加情報を加える付加情報追加部とを備え、付加情報追加部により、属性情報に前記付加情報を加える際、基礎ゲーム媒体に描かれた図柄を、新たな図柄に変更することを特徴とする。